(57)【要約】【課題】陽画フィルムの写真画像に特殊蛍光塗料を用いて筐体内に配置した光源から発する光によって照明するときに、高品質での画像掲示を可能とする。【解決手段】掲示装置１０の筐体１２には、掲示部２２に透明シート体に写真画像などの画像が形成された画像シートが装着される。また、筐体内には、可視光を発する蛍光ランプ３０と共に、近赤外光を発するブラックライト３２が設けられており、画像シートに特殊蛍光塗料が塗布されているとき、ブラックライトから発する光によって特殊蛍光塗料の発光が可能となっている。また、筐体内には、ブラックライトと画像シートの間に、多数の開口孔４０が形成されたメッシュシート３６が配置されている。これにより、画像シートの画像に透明領域があっても、この透明領域から筐体内のブラックライトが視認されて、画像の見栄えが損なわれるのを防止できるようにしている。【選択図】図２
2008145596.tif 000002
【特許請求の範囲】
【請求項１】
略箱体状に形成されると共に少なくとも一面に開口部が設けられた筐体と、
透明で光透過性の画像が形成されると共に、非可視光が照射されることにより発光する特殊蛍光材料が塗布されて前記筐体の開口部内に配置される透明シート体と、
前記筐体内に設けられて可視光を前記透明シート体に照射可能とする可視光光源と、
前記筐体内に設けられて前記非可視光を前記透明シート体に照射可能とする非可視光光源と、
前記透明シート体と前記非可視光光源との間に設けられメッシュシートと、
を含むことを特徴とする画像掲示装置。
【請求項２】
前記メッシュシートは、単位面積あたりの開口面積の比率である開口率を、６０％以下、好ましくは５０％以下であり、かつ、少なくとも５％以上、好ましくは１０％以上とされていることを特徴とする請求項１に記載の画像掲示装置。
【請求項３】
前記可視光光源と前記透明シート体との間に、光拡散手段を配置していることを特徴とする請求項１又は請求項２に記載の画像掲示装置。
【請求項４】
前記可視光光源及び前記非可視光光源の光量を制御する制御手段を含むことを特徴とする請求項１から請求項３の何れか１項に記載の画像掲示装置。
【発明の詳細な説明】
【技術分野】
【０００１】
本発明は、透明フィルムに形成された文字、図形、写真画像などの画像に、装置内部に配置した光源から発する光を照射して画像を掲示する画像掲示装置に関する。
【背景技術】
【０００２】
観賞や広告、宣伝、案内等を目的として画像を掲示する画像掲示装置には、画像の前面側に設けている光源から、掲示画像の表面に光を照射して、掲示画像を表示可能とする所謂外照式がある。画像掲示装置には、筐体内に配置した光源から発する光を掲示画像へ向けて照射し、掲示画像を透過した光によって、掲示画像を表示する所謂内照式があり、写真画像などを掲示するときには、写真画像を高精彩で表示可能であることから、内照式の掲示装置が多用されている。
【０００３】
ところで、近紫外線などが照射されることにより発光する特殊蛍光塗料などの特殊蛍光材料を設けた画像などでは、近紫外線を照射することにより、特殊蛍光材料が発光し、視認性の向上のみならず、各種の表示効果が得られる。
【０００４】
ここから、例えば、特許文献１では、画像などが形成された表示板に、特殊蛍光塗料を表示板の色調と同色となるように配色し、可視光を発する光源と、近紫外光を発するブラックライトなどの光源（以下、ブラックライトとする）から、選択的に表示板上に光を照射する表示装置が提案されている。
【０００５】
これにより、特許文献１では、可視光を照射したときと、近紫外光を照射したときで、表示される図柄や文字を変化させることができるようにしている。
【０００６】
また、特許文献２では、メッシュシート上の画紙に白色系ペイントをブラッシング塗布した下地に蛍光塗料によって絵柄を形成し、この絵柄へ向けてブラックライトから発する近紫外光を照射するようにした擬似壁画を提案している。
【０００７】
これにより、引用文献２では、メッシュシートによって下地に凹凸が形成されることにより、ブラックライトから近紫外光を照射した時に、近紫外光によって絵柄を浮き上がらせて見せることができるようにしている。
【０００８】
一方、写真画像を掲示するときに、このような特殊蛍光塗料とブラックライトを用いることにより、掲示した写真画像に対して、多様の変化を与えることが想到される。
【特許文献１】特開２０００−３４７６０３号公報
【特許文献２】特開平７−３３４１０３号公報
【発明の開示】
【発明が解決しようとする課題】
【０００９】
しかしながら、陽画フィルムなどの透明シートに形成された写真画像などは、例えば空などの薄い色の領域が略透明となっている。このような写真画像などの透明シート上に形成した画像に、筐体内に配置した光源から光を照射して掲示を行う場合、透明部分から筐体内部が見えてしまう。特に、近紫外光を発するブラックライトは、発光部が濃い色となっているために目立ち易く、写真画像の透明部分から筐体内が視認されると、写真画像の見栄えを低下させてしまう。
【００１０】
これを防止するために、乳半などの半透過性のパネルを下地として、このパネル上に写真画像を配置する方法が考えられるが、この方法では、下地となっているパネルによって近紫外光が反射されて、特殊蛍光塗料を用いた効果が得られなくなってしまうという問題がある。
【００１１】
本発明は上記事実に鑑みてなされたものであり、透明シートに形成した画像などを、筐体内に配置した光源から発する光によって照明するときに、掲示画像の見栄えを損ねること無く、特殊蛍光塗料を用いた各種の表現が可能となる画像掲示装置を提供することを目的とする。
【課題を解決するための手段】
【００１２】
上記目的を達成するために本発明は、略箱体状に形成されると共に少なくとも一面に開口部が設けられた筐体と、透明で光透過性の画像が形成されると共に、非可視光が照射されることにより発光する特殊蛍光材料が塗布されて前記筐体の開口部内に配置される透明シート体と、前記筐体内に設けられて可視光を前記透明シート体に照射可能とする可視光光源と、前記筐体内に設けられて前記非可視光を前記透明シート体に照射可能とする非可視光光源と、前記透明シート体と前記非可視光光源との間に設けられメッシュシートと、を含むことを特徴とする。
【００１３】
この発明によれば、光透過性の画像が形成された透明シート体を、筐体の開口部に配置し、筐体内に設けた可視光光源から照射する可視光によって掲示する。また、透明シート体には、近紫外光などの非可視光（以下、一例として近紫外光とする）が照射されることにより発光する特殊蛍光材料が塗布されており、ブラックライトなどの非可視光光源から発する近紫外光を、透明シート体に照射することにより、特殊蛍光材料を発光させて、特殊蛍光材料の発光による画像効果が得られるようにしている。
【００１４】
ここで、透明シート体と非可視光光源の間にメッシュシートを配置し、メッシュシートに形成透明シート体に形成する画像に透明領域が存在しても、メッシュシートによって非可視光光源を隠蔽する。
【００１５】
このメッシュシートには、多数の開口孔が形成されており、非可視光光源から発せられた近紫外光は、メッシュシートに形成される開口孔から透明シート体に照射されるので、非可視光光源をメッシュシートで隠蔽しても、近紫外光が遮られるのを防止することができる。
【００１６】
このとき、メッシュシートを通過する光（可視光、近紫外光）は、メッシュシートの開口孔で回折が生じる。
【００１７】
このために、鑑賞者の視点が透明シート体に形成している画像にあると、その焦点は、透明シート体上かメッシュシート上となり、少なくともメッシュシートの奥側に焦点が合うことがなく、メッシュシートの奥側に配置している非可視光光源が鑑賞者から見え難くなる。
【００１８】
したがって、透明シート体に形成される画像の見栄えを損ねることなく、非可視光光源と特殊蛍光材料を用いた画像の掲示効果を得ることができる。
【００１９】
これと共に、可視光光源及び非可視光光源から発せられる光にも回折が生じるので、可視光及び近紫外光を透明シート体の全面に拡散させながら照射することができる。
【００２０】
このような本発明において、前記メッシュシートは、単位面積あたりの開口面積の比率である開口率を、６０％以下、好ましくは５０％以下であり、かつ、少なくとも５％以上、好ましくは１０％以上とされている。
【００２１】
この発明によれば、メッシュシートの開口率を大きくすると、透明シート体に形成されている画像の透明領域から非可視光光源が見えやすくなり、また、メッシュシートの開口率を小さくすると、透明シート体に照射される光量に低下が生じる。
【００２２】
ここから、本発明では、メッシュシートの開口率を、大きくとも６０％以下、好ましくは５０％と以下とすることにより、非可視光光源などが視認されるのを抑え、開口率を少なくとも５％以上、好ましくは１０％以上とすることにより、透明シート体に照射される光量が低下してしまうのを抑えるようにしている。
【００２３】
また、本発明は、前記可視光光源と前記透明シート体との間に、光拡散手段を配置するものであっても良い。
【００２４】
一般に、可視光は大きな光量が得られるが、非可視光は、光源の種類、数が同じであると、可視光と比較して光量が少ない。ここから、可視光光源から発する光を、光拡散手段を介して透明シート体に照射することにより、可視光と非可視光の相対的な光量差を抑えることが可能となる。また、光拡散手段を設けることにより、透明シート体上で可視光光源が目立ってしまうのを防止することができる。
【００２５】
なお、可視光光源は、非可視光光源と同様に、メッシュシートの反透明シート体側に配置してもよく、このときにも、メッシュシートの開口率を前記範囲とすることにより、透明シート体に照射される光量の低下が抑えられ、透明シート体に形成された画像の確実な照明が可能となる。
【００２６】
このような本発明においては、前記可視光光源及び前記非可視光光源の光量を制御する制御手段を含むものであっても良く、これにより、可視光及び非可視光の発光／消灯や、光量変化によって、掲示画像に各種の変化を与えることができる。
【００２７】
このように本発明が適用される透明シート体は、陽画フィルムなどの透明フィルム、樹脂プレートなどの透明シートなど透明のシート体で光透過性の画像が形成可能であれば任意のシート体を適用することができる。
【００２８】
また、本発明に適用されるメッシュシートは、金属性、樹脂性のプレートに多数の開口孔を形成したものであっても良く、また、金属、樹脂、人造、天然などの各種の繊維材料を格子状に織り込んだ布、網目布、多孔布などの布状のシート体等の任意の材質及び構造のシート体を適用することができる。
【００２９】
また、メッシュシートに形成される開口孔は、円形、楕円形、長円形などの円形形状、正方形、長方系などの矩形形状、五角形、六角形などン多角形状などの任意の形状とすることができる。
【００３０】
さらに、メッシュシートに形成される開口孔は、均一の大きさで整列されたものであっても良く、また、これに限らず、大きさ、形状、配列、配置密度が不規則に形成されていても良い。
【発明の効果】
【００３１】
以上説明したように本発明によれば、透明シートと非可視光光源の間にメッシュシートを設けることにより、透明シート体に形成される画像に透明領域があっても、透明領域から筐体内の非可視光光源が視認されて、画像の見栄えが損ねられてしまうのを確実に防止することができるという優れた効果が得られる。
【発明を実施するための最良の形態】
【００３２】
以下に、図面を参照しながら本発明の実施の形態を説明する。図１には、本実施の形態に係る画像掲示装置（以下、掲示装置とする）１０の概観を示している。この掲示装置１０は、一方の面が開口された略矩形箱体状に形成された筐体１２１２を備え、この筐体１２の一方の面に画像シート１４が配設される。
【００３３】
この掲示装置１０は、筐体１２内に光源が配設されており、この光源から画像シート１４へ向けて光を照射する。
【００３４】
画像シート１４としては、例えば陽画フィルムなどの透明シート体を用いており、掲示装置１０では、画像シート１４に照射した光が、画像シート１４に形成されている写真画像などの画像１６に応じて透過することにより、画像１６が視認されるようにしている。
【００３５】
図２乃至図４には、筐体１２の内部の概略構成を示している。この筐体１２は、矩形形状に形成された外枠１８を備え、この外枠１８の一方の面が底板２０によって閉塞され、他方の面が開口されている。掲示装置１０は、筐体１２を形成している外枠１８の開口面が、画像シート１４を装着する掲示部２２となっている。
【００３６】
筐体１２には、外枠１８の掲示部２２側の端部に、見切り部２４が設けられている。この見切り部２４は、外枠１８の端部から所定幅で掲示部２２内（外枠１８の開口内）に突設されている。これにより、図１に示されるように、掲示部２２の開口周縁が、所定幅の見切り部２４によって囲われ、額縁が形成される。
【００３７】
図３及び図４に示されるように、見切り部２４は、先端部に嵌め込み溝２６が形成されている。この嵌め込み溝２６には、画像シート１４の周辺部が嵌め込まれるようになっている。
【００３８】
掲示装置１０では、画像シート１４の外周縁を見切り部２４の嵌め込み溝２６内に挿入された状態で筐体１２に装着される。
【００３９】
この見切り部２４としては、例えば、四辺のそれぞれが分割され、図示しない丁番などを介して外枠１８に連結されるなどの構成を適用でき、これにより、何れか１辺の見切り部２４を、掲示部２２側から外方へ向けて回動することにより、隣接する辺の見切り部２４に形成されている嵌め込み溝２６が開放され、掲示部２２への画像シート１４の着脱が容易となる。
【００４０】
なお、本発明が適用される掲示装置１０の筐体１２の構造は、これに限るものではなく、画像シートを装着して掲示可能であれば、任意の構造を適用することができる。また、画像シート１４が可撓性を有しているときには、周縁部をコイルばねなどの付勢手段によって付勢して、所定の張力を付与した状態で装着されるようにしても良い。
【００４１】
一方、掲示装置１０を用いて掲示される画像シート１４には、非可視光である近紫外光が照射されることにより発光する特殊蛍光材料が塗布されている。この特殊蛍光材料としては、近紫外光が照射されることにより発光する任意の材料を適用することができる。
【００４２】
図５Ｃに示されるように、画像シート１４には、掲示装置１０の筐体１２に装着したときに、内面側となる裏面に、画像１６に応じて特殊蛍光材料（以下、特殊蛍光塗料２８とする）が塗布されている。なお、図５Ｃでは、特殊蛍光塗料２８を図示せずに、特殊蛍光塗料２８が塗布されている部位を図示している。
【００４３】
この特殊蛍光塗料２８は、例えば、画像１６と重なる部位に、該当部位と同色の色を発するものであっても良く、また、特殊蛍光塗料２８が発光したときの画像１６のイメージの変化を考慮して設定した色などを適用することができる。
【００４４】
図２乃至図４に示されるように、掲示装置１０には、筐体１２内に、可視光を発する光源とする複数の蛍光ランプ（蛍光灯型ランプ）３０と、非可視光である近紫外光を発する光源となる複数のブラックライト３２が設けられている。
【００４５】
なお、ブラックライト３２としては、蛍光ランプ３０と同様に蛍光灯型を用いているが、可視光を発する光源及び非可視光を発する光源は、これに限らず、タングステンランプなどの白熱灯型、水銀灯型、ハロゲンランプ、発光ダイオード（ＬＥＤ）などの発光素子等の任意の種類の光源を適用することができる。
【００４６】
また、本実施の形態では、一例として、２本の蛍光ランプ３０を、外枠１８の近傍に配列し、この蛍光ランプ３０の間に、蛍光ランプ３０と平行に３本のブラックライト３２を配列して、底板２０上に取り付けているが、蛍光ランプ３０及びブラックライト３２の本数及び配列（配置間隔、配置位置など）は、画像シート１４上の全面に、所定以上の光量で略均一に照射可能であれば任意の本数及び配列を適用することができる。
【００４７】
図１に示されるように、掲示装置１０には、電源装置３４が接続されおり、蛍光ランプ３０及びブラックライト３２（図１では図示省略）のそれぞれは、電源装置３４から供給される電力によって選択的に点灯可能となっている。
【００４８】
これにより、掲示装置１０では、蛍光ランプ３０のみを点灯させた画像シート１４（画像１６）の照明、蛍光ランプ３０とブラックライト３２を点灯させた画像シート１４の照明及び、ブラックライト３２のみを点灯させた画像シート１４の照明が可能となっている。
【００４９】
この電源装置３４としては、蛍光ランプ３０及びブラックライト３２のそれぞれを選択的に点灯／消灯可能であれば任意の構成を適用することができる。また、電源装置３４としては、蛍光ランプ３０及びブラックライト３２の点灯／消灯のみでなく、点灯時の光量を増減可能とする調光手段を備えたものであっても良い。
【００５０】
ここで、画像シート１４では、ブラックライト３２から発せられた近紫外光が、特殊蛍光塗料２８に照射されると、特殊蛍光塗料２８が発光し、この光が画像シート１４を透過し、該当部位が特殊蛍光塗料２８の非塗布領域に比べて明るく表示される。
【００５１】
ところで、図１、図５Ａ〜図５Ｃに示されるように、画像シート１４に形成される画像１６には、透明領域１６Ａが含まれる。例えば、画像シート１４として陽画フィルムを用い、画像１６として風景などの写真画像が形成されているときに、空などの薄い色の領域が実質的な透明領域１６Ａとなっており、このような画像シート１４では、この透明領域１６Ａから筐体１２内が視認可能となっている。
【００５２】
ここで、図２乃至図４に示されるように、本実施の形態に適用した掲示装置１０では、筐体１２内にメッシュシート３６が設けられている。メッシュシート３６は、画像シート１４と蛍光ランプ３０及びブラックランプ２０の間に、画像シート１４側から見て蛍光ランプ３０と共にブラックライト３２を覆うように配設されている。
【００５３】
外枠１８の内面には、所定位置に複数のブラケット３８が取り付けられており、メッシュシート３６は、ブラケット３８の間に張架され、周縁部がブラケット３８に固定されて取り付けられている。このブラケット３８は、例えば、ベース板３８Ａを介して外枠１８に固定され、また、ブラケット３８が、底板２０との接離方向、すなわち、画像シート１４との接離方向に沿った任意の位置で固定可能となっていても良い。
【００５４】
掲示装置１０では、筐体１２内にメッシュシート３６を配置することにより、画像シート１４の画像１６に透明領域１６Ａが存在しても、この透明領域１６Ａから蛍光ランプ３０及びブラックライト３２などの筐体１２内の部品、特にブラックライト３２を見え難くなるようにしている。
【００５５】
このメッシュシート３６としては、例えば、金属、樹脂などの薄板に所定径または所定幅の開口を略均等に形成した所謂パンチングメタルなどの穴あきプレートを用いてもよく、また、所定幅の樹脂線、金属線、天然繊維、人造繊維などを所定間隔で格子状に織り込んだ網、多孔布、網目布等を適用することができる。なお、本実施の形態では、一例として、パンチングメタルを用いている。
【００５６】
図２に示されるように、メッシュシート３６には、所定間隔で開口孔４０が形成されており、本実施の形態では、開口孔４０の大きさ（内径ｄ）を２ｍｍ（ｄ＝２mm）とすると共に、単位面積あたりの開口面積の比率である開口率を５０％としている。また、メッシュシート３６は、画像シート１４側が、白色または明度の高いグレーとなっている。
【００５７】
これにより、画像１６の透明領域１６Ａからメッシュシート３６が視認されても、画像１６の見栄えが損なわれてしまうことがないようにしている。なお、図３及び図４では、メッシュシート３６の開口孔４０の図示を省略している。
【００５８】
このメッシュシート３６に形成する開口孔４０としては、円形に限らず、楕円形、長円形などの円形形状、正方形、長方形などの矩形形状、五角形、六角形などの多角形状等の任意の形状とすることができる。
【００５９】
また、開口孔４０の大きさは、一定であっても良く、メッシュシート３６は、異なる大きさの開口孔４０を形成したものであっても良い、また、開口孔４０の配列は、規則的であっても良く、不規則で密度一定でないものであっても良い。
【００６０】
このように構成されている掲示装置１０では、掲示部２２に画像シート１４が装着された状態で、壁面などの所定位置に配設されることにより、画像シート１４に形成されている画像１６を掲示する。
【００６１】
このとき、掲示装置１０内に配置された蛍光ランプ３０やブラックライト３２が消灯されていると、図５Ａに示されるように、画像１６が暗くなるが、蛍光ランプ３０を点灯することにより、蛍光ランプ３０から発せられた光（可視光）が画像シート１４に照射され、画像１６に応じて透過する。
【００６２】
これにより、図５Ｂに示されるように、画像シート１４の全面が明るくなり、画像１６を通過した光によって、画像１６が高彩度で視認される。
【００６３】
一方、掲示装置１０には、近紫外光を発するブラックライト３２が設けられており、また、画像シート１４には、画像１６に重ねて特殊蛍光塗料２８が塗布されている。
【００６４】
画像シート１４が装着された掲示装置１０では、ブラックライト３２を点灯し、ブラックライト３２から画像シート１４の特殊蛍光塗料２８に照射されると、特殊蛍光塗料２８が発光する。
【００６５】
これにより、図５Ｃに示されるように、画像シート１４上では、特殊蛍光塗料２８が塗布された領域が発光し、該当領域の視認性が向上され、同じ画像１６であっても、蛍光ランプ３０のみを用いているときと、異なる雰囲気を現すことが可能となる。また、蛍光ランプ３０と共にブラックライト３０を点灯した場合、画像１６の全面が蛍光ランプ３０から照射される光によって明るく表示されると共に、画像１６上で特殊蛍光塗料２８が塗布された部分は、ブラックライト３２から照射される近紫外光によってさらに明るくなり、単に蛍光ランプ３０を点灯したときとこのなる印象が得られる。
【００６６】
すなわち、掲示装置１０では、ブラックライト３２を設けることにより、特殊蛍光塗料２８が塗布された画像シート１４が装着されると、蛍光ランプ３０のみによる画像１６の表現効果に加えて、特殊蛍光塗料２８による表現効果が得られる。
【００６７】
これにより、例えば、図５Ｂに示されるように、蛍光ランプ３０を点灯して、画像１６を明るく表示することにより昼間の情景を表現したり、また、図５Ｃに示されるように、ブラックライト３２を点灯して、画像１６の所定部位を明るく表示することにより、同一の画像１６で夜間や夕方の情景を表現するなどの情景描写が可能となる。
【００６８】
このような掲示装置１０では、電源装置３４に調光機能を設けて少なくとも蛍光ランプ３０の光量、好ましくは蛍光ランプ３０とブラックライト３２の光量のそれぞれを調整可能としたものであっても良い。
【００６９】
これにより、画像１６への特殊蛍光塗料２８の塗布部位を画像１６に応じて選択することにより、可視光の全域の光を発する蛍光ランプ３０及び近紫外光ブラックライト３２の２種類の光源を用いて、例えば、ブラックライト３２を減光しながら蛍光ランプ３０の光量を増加させたり、蛍光ランプ３０を減光しながらブラックライト３２の光量を増加させるなどの調光制御を行うことにより、画像１６の情景（雰囲気）を、朝−昼−夕方−夜など、多彩に変化させることが可能となる。
【００７０】
一般に、掲示画像に情景などの変化を与える場合、赤、緑、青の３色の光源を用い、それぞれの光源の光量をバランス良く変化させる必要があるが、ブラックライト３２を用いることにより、ブラックライト３２と蛍光ランプ３０の２種類の光源を用いることで、３色の光源を用いたときと同等以上の情景変化を与えることが可能となる。
【００７１】
このような調光制御は、例えば、画像１６として風景写真などを用いているときには、タイマー制御を行い、朝−昼−夕方−夜−朝までの１日に相当する光量変化を１分（１min）〜８時間（８hour）のサイクルで実行されるようにしても良く、これにより、鑑賞者が、情景変化を的確に認識したり、観賞することが可能となって好ましい。なお、このとき、可視光、近紫外光の光量をどのように増減させるかは、画像１６に応じて設定するものであれば良く、また、光量を増減するための調光機構は、任意の機構を適用することができる。
【００７２】
ところで、画像シート１４として透明シート体を用いた場合、画像１６に透明領域１６Ａがあると、この透明領域１６Ａから筐体１２の内部が視認される。特に、ブラックライト３０は、例えば消灯状態で略黒色などであり、点灯状態であっても濃い青色などであると、極めて目立ち易く、これにより、画像１６の雰囲気が損ねられる。
【００７３】
ここで、掲示装置１０では、メッシュシート３６を設けて、蛍光ランプ３０と共にブラックライト３２を覆っている。これにより、画像１６の透明領域１６Ａからブラックライト３２を見え難くしている。特に、メッシュシート３６の開口率を５０％以下とすると共に、個々の開口孔４０の大きさを制限して、メッシュシート３６の開口孔４０からブラックライト３２等が見え難くなるようにしている。
【００７４】
このとき、画像１６の透明領域１６Ａには、メッシュシート３６が視認されるが、このメッシュシート３６の表面の色を、白色又は明度の高いグレー（灰色）とすることにより、メッシュシート３６が、画像の見栄えを損ねることがない。
【００７５】
なお、メッシュシート３６の色としては、白色又は明度の高いグレーに限らず、例えば、樹脂繊維、天然又は人造繊維を用いて半透明に形成しても良く、また、掲示する画像１６の透明領域の色や雰囲気に応じて設定した色を用いるようにしても良い。
【００７６】
すなわち、掲示装置１０では、メッシュシート３６を画像シート１４の裏側（筐体１２内側）に設けた状態で、画像１６の透明領域１６Ａに視点を向けた時には、そのとの焦点がメッシュシート３６上となり、開口孔４０の奥のブラックライト３２に焦点が合うのを抑えることができる。
【００７７】
このために、メッシュシート３６に開口孔４０が設けられていても、メッシュシート３６の裏側のブラックライト３２の視認性は低くなる。
【００７８】
したがって、掲示装置１０では、透明領域１６Ａが存在する画像１６を掲示したときにも、筐体１２内のブラックライト３２などが、画像１６の見栄えを損ねてしまうことがない。
【００７９】
一方、メッシュシート３６の開口孔４０（メッシュシート３６の開口径又は開口幅）が大きかったり、メッシュシート３６の開口率（単位面積あたりの開口部分の面積の比率）が大きいと、網目からメッシュシート３６の裏側が視認され易くなる。
【００８０】
ここから、メッシュシート３６は、一つの開口の大きさを（開口孔４０の内径ｄ）を２ｍｍとすると共に、開口率を５０％以下としているが、メッシュシート３６に形成される開口の大きさは、矩形孔であれば５ｍｍ×５ｍｍ以下、円孔であれば内径が５mm以下であることが好ましい。
【００８１】
すなわち、メッシュシート３６に形成する個々の開口の開口面積は、大きくとも２５mm２以下、好ましくは、２０mm２以下とすれば良い。なお、メッシュシート３６に形成される個々の開口孔４０の大きさや開口面積は、掲示する画像シート１４と、この画像シート１４を観賞する人との距離を考慮することが好ましい。
【００８２】
また、メッシュシート３６の開口率は、大きくとも６０％以下、好ましくは５０％以下とすることにより、筐体１２の内部の隠蔽性を確保することができる。
【００８３】
また、メッシュシート３６の開口率が小さいと、蛍光ランプ３０及びブラックライト３２が発する光がメッシュシート３６によって遮られてしまい、画像シート１４上で所望の光量（照度）が得られなくなって、画像が暗くなってしまう。このときに、所望の光量を得るためには、光源の数を増やすなどの対処を講じなければならず、掲示装置１０のコストアップ、ランニングコスト（消費電力）が高くなる。
【００８４】
これを防止するために、メッシュシート３６の開口率は、少なくとも５％以上であることが好ましく、１０％以上であることがより好ましく、これにより、メッシュシート３６を設けることによる画像シート１４上での照度低下を抑えることができる。
【００８５】
一方、ブラックライト３２から発せられた近紫外光は、メッシュシート３６の開口孔４０を通過することにより画像シート１４に照射される。このとき、メッシュシート３６の開口孔４０を通過する近紫外光には、回折が生じる。これにより、画像シート１４に照射される近紫外光が拡散され、ブラックライト３２の配置間隔などによって画像シート１４上に照射される近紫外光にムラが生じてしまうのを防止し、画像シート１４の全面に略均一に近紫外光が照射される。
【００８６】
このような光の回折は、近紫外光のみでなく可視光にも生じるので、メッシュシート３６を設けることにより、画像シート１４への可視光の均一な照射が可能となる。
【００８７】
なお、回折による光の拡散具合は、開口孔４０の大きさ、配列、画像シート１４、メッシュシート３６及び蛍光ランプ３０とブラックライト３２の相対的な間隔などの各種の要因によって変化し、これにより、画像１６の雰囲気などの見た目も変化する。
【００８８】
ここから、例えば、ブラケット３８をベース板３８Ａ上で、画像シート１４に対して接離方向へ移動して、任意の移動位置で固定可能とすることにより、メッシュシート３６の取り付け位置を、メッシュシート３６が画像シート１４への接離方向へ移動可能となる。
【００８９】
これにより、掲示される画像１６の観賞効果を変化させるようにしても良く、また、メッシュシート３６と画像シート１４の間隔を調整して、所望の観賞効果が得られる位置で固定することが可能となる。
【００９０】
一方、以上説明した本実施の形態では、ブラックライト３２と共に蛍光ランプ３０を覆うようにメッシュシート３６を設けたが、蛍光ランプ３０とメッシュシート３６の位置関係は、これに限るものではなく、メッシュシート３６は、少なくともブラックライト３２を覆うものであれば良い。
【００９１】
図６には、蛍光ランプ３０とメッシュシート３６の配置の他の一例を示している。図６に示される掲示装置１０Ａでは、ブラックライト３２が底板２０に取り付けられ、掲示部２２に装着される画像シート１４とブラックライト３２との間に、メッシュシート３６が配置されている。
【００９２】
また、掲示装置１０Ａでは、蛍光ランプ３０を、画像シート１４とメッシュシート３６の間の外枠１８の内面１８Ａに取り付け、蛍光ランプ３０が掲示部２２に突出している見切り部２４に隠れるようにし、画像１６に透明領域１６Ａ（図６では図示省略）があっても、この透明領域１６Ａから外れるようにしている。
【００９３】
このように構成されている掲示装置１０Ａでは、ブラックライト３２は勿論、蛍光ランプ３０が画像１６の透明領域１６Ａから視認されて、画像１６の見栄えを損ねてしまうのを防止することができる。
【００９４】
また、蛍光ランプ３０を点灯した時には、画像シート１４には、蛍光ランプ３０から発せられた光が直接照射されると共に、メッシュシート３６の画像シート１４側の面を白色又は明度の高いグレーとすることにより、メッシュシート３６の表面で反射された光が照射される。
【００９５】
これにより、蛍光ランプ３０から発せられる可視光は、メッシュシート３６に遮られることなく、画像シート１４の全面へ効率的に照射される。
【００９６】
一方、蛍光ランプ３０と画像シート１４との間隔によって蛍光ランプ３０の位置が画像シート１４上から視認されてしまうことがある。これを防止するために画像シート１４と蛍光ランプ３０との間に、光拡散板などの光拡散手段を設けるようにしても良い。
【００９７】
図７には、この構成の一例とする掲示装置１０Ｂの概略構成を示している。この掲示装置１０Ｂには、蛍光ランプ３０とメッシュシート３６との間に、光拡散手段として、半透明板などを用いた光拡散シート４２を設けている。
【００９８】
なお、光拡散手段としては、半透明フィルム、半透明樹脂板（半透明の樹脂プレート、樹脂シート）など、光を拡散させながら透過させる任意の構成を適用することができる。
【００９９】
光拡散シート４２は、一端側が外枠１８に固定され、他端側が、蛍光ランプ３０とブラックライト３２の間で固定されることにより、底板２０に対して傾斜した状態で配置されている。
【０１００】
なお、ここでは、底板２０上に蛍光ランプ３０を配置しているが、光拡散板を設けたときには、例えば、図６に示されるように画像シート１４とメッシュシート３６の間で、見切り部２４に隠れるように蛍光ランプ３０を配置したときには、光拡散シートが、ブラックライト３２から発せられる光を妨げることのない位置に配置すれば良い。
【０１０１】
このような光拡散シート４２を設けることにより、掲示装置１０Ｂでは、蛍光ランプ３０から発せられた可視光が、光拡散シート４２によって拡散されて、画像シート１４上に照射される。
【０１０２】
これにより、画像シート１４の全面に略均一な光量で可視光が照射されるので、蛍光ランプ３０の位置が、画像シート１４上に現れるのを防止することができる。
【０１０３】
また、このような掲示装置１０では、拡散シート４２に覆われる領域を除く底板２０の全面、ブラックライト３２のソケットなどを黒色又はブラックライト３２の同色で塗装するようにしても良く。これにより、メッシュシート３６の開口孔４０から見える色が略同じであるために、筐体１２内に配置している部品が目立つことがなく、また、筐体１８内の部品が、蛍光ランプ３０が発する可視光を反射して、画像シート１４上から視認されて、画像１６の見栄えを損ねてしまうのを確実に防止することができる。
【０１０４】
このような掲示装置１０Ｂにおいても、メッシュシート３６を画像シート１４に対する接離方向へ移動可能とすることにより、画像１６の観賞効果を変化させることができる。
【０１０５】
一方、周囲が明るい環境では、外光が画像シート１４上に照射された場合、画像シート１４の表面が明るくなり、特殊蛍光塗料２８が発光していても、この発光を視認することが困難となり、所望の効果が得られなくなる。
【０１０６】
ここから、図８（Ａ）及び図８（Ｂ）では、明るい環境においても、近紫外光を用いた特殊蛍光塗料２８の発光効果を得ることができる掲示装置１０Ｃを示している。
【０１０７】
この掲示装置１０Ｃは、筐体１２Ａを形成している枠体１８Ａの周縁部に、枠体１８Ａの内方側へ向けて傾斜した見切り部２４Ａが形成されている。これにより、掲示装置１０Ｃでは、筐体１２Ａの内部に、画像シート１４が装着される掲示部２４Ａが形成されている。
【０１０８】
図８（Ａ）に示されるように、このような掲示装置１０Ｃでは、画像シート１４が、筐体１２Ａの奥まった位置に掲示されるため、外光が入り込むのが抑えられて比較的暗くなっている。したがって、掲示装置１０Ｃでは、周囲が明るい環境であっても、近紫外光を用いた特殊蛍光塗料２８の発光を明確に視認でき、近紫外光と特殊蛍光塗料２８を用いた効果を得ることができる。
【０１０９】
また、このような掲示装置１０Ｃでは、図８（Ｂ）に示されるように、見切り部２４Ａを傾斜することにより見切り部２４Ａと枠体１８Ａの間に形成される空間内に蛍光ランプ３０を配置することができる。
【０１１０】
これにより、蛍光ランプ３０から発した可視光が、直接、画像シート１４上に照射されずに、メッシュシート３６等で反射されて照射されるため、画像シート１４の全面に略均一に可視光を照射することができる。
【０１１１】
このときには、見切り部２４Ａの内面を鏡面状として反射板の機能を持たせることにより、可視光の光量不足を抑えることができる。また、掲示装置１０Ｃでは、掲示部２２Ａを形成する開口部を介して、外部から視認可能な底板２０上の領域や部品を黒色又はブラックライト３２と同色に塗装することが好ましく、これにより、蛍光ランプ３０から発せられた光が照射されても、底板２０、ブラックライト３２及び底板２０上に配置される部品が視認されるのを抑えることができ、高品質での画像掲示が可能となる。
【０１１２】
なお、以上説明した本実施の形態は、本発明の構成を限定するものではない。本実施の形態では、一面が開口された筐体を用いたが、これに限らず、例えば、互いに対向する２面が開口された筐体を用い、両面に画像掲示が可能となっている画像掲示装置に適用してもよい。
【０１１３】
このときには、中央部にブラックライト３２などの非可視光光源を配置して、この可視光光源を挟むように、それぞれの開口用のメッシュシートを配置して、それぞれの開口部に装着した透明シートにメッシュシートを透過した近紫外光が照射されるようにすれば良い。
【０１１４】
また、本発明は、矩形箱体上の筐体１２を備え、矩形形状の画像シート１４の掲示に適用する掲示装置１０を例に説明したが、本発明の画像掲示装置の形状はこれに限るものではなく、例えば、円形、五角形、六角形などの任意の透明シート体に適用しても良く、そのときに、透明シート体の形状に合わせた形状の筐体を用いても良い。
【０１１５】
また、本実施の形態では、掲示画像が形成される透明シート体として陽画フィルムを用いた画像シート１４を例に説明したが、本発明はこれに限らず、透明樹脂板などの透明な任意の材質のシート体を適用することができる。
【０１１６】
また、本実施の形態では、透明シート体に形成する画像として写真画像を例に説明したが、本発明はこれに限らず、文字や図形などは勿論、シンボルマーク、標識などの任意の画像の掲示に適用でき、そのときに、掲示画像に応じて特殊蛍光材料を塗布することにより、特殊蛍光材料によって現される画像ないし画像効果を得ることができる。
【図面の簡単な説明】
【０１１７】
【図１】本実施の形態に適用した掲示装置の概略概観図である。
【図２】掲示装置の内部の概略構成を示す斜視図である。
【図３】図２のＩＩＩ−ＩＩＩ線に沿った概略断面図である。
【図４】図２のＩＶ−ＩＶ線に沿った概略断面図である。
【図５Ａ】掲示される画像の一例を示す概略図であり蛍光ランプ及びブラックライトを消灯した状態を示している。
【図５Ｂ】掲示される画像の一例を示す概略図であり蛍光ランプを点灯した状態を示している。
【図５Ｃ】掲示される画像の一例を示す概略図でありブラックライトを点灯した状態を示している。
【図６】本発明が適用される掲示装置の他の一例を示す概略構成図である。
【図７】本発明が適用される掲示装置の他の一例を示す概略構成図である。
【図８】（Ａ）は本発明が適用される掲示装置の他の一例を示す概略斜視図、（Ｂ）は（Ａ）の内部の概略構成図である。
【符号の説明】
【０１１８】
１０、１０Ａ、１０Ｂ、１０Ｃ    掲示装置（画像掲示装置）
１２    筐体
１４    画像シート（透明シート体）
１６    画像
１６Ａ    透明領域
１８、１８Ａ    外枠
２２、２２Ａ    掲示部（筐体の開口部）
２８    特殊蛍光塗料（特殊蛍光材料）
３０    蛍光ランプ（可視光光源）
３２    ブラックライト（非可視光光源）
３４    電源装置（調光手段）
３６    メッシュシート
４０    開口孔
４２    光拡散シート（光拡散手段）
【図１】
2008145596.tif 000003
【図２】
2008145596.tif 000004
【図３】
2008145596.tif 000005
【図４】
2008145596.tif 000006
【図６】
2008145596.tif 000007
【図７】
2008145596.tif 000008
【図５Ａ】
2008145596.tif 000009
【図５Ｂ】
2008145596.tif 000010
【図５Ｃ】
2008145596.tif 000011
【図８】
2008145596.tif 000012